(57)【要約】【課題】密集した無線タグであっても安定して読取及び又は書込みを行う無線タグ読取書込み装置を提供する。【解決手段】アンテナに対し無線タグの方向とは反対側に位置し、アンテナが送受信する電波を反射し、無線タグとの距離が異なる１段以上の段差を設けたリフレクタとを備える。リフレクタの段差の数を増やすほど、無線タグを安定して読書きできる周波数帯域が広がる。多数密集した無線タグを読み書きするために、アンテナとリフレクタを可動にする可動機構をさらに設けてもよい。【選択図】図１
2008028723.tif 000002
【特許請求の範囲】
【請求項１】
密集した無線タグから情報を読み込み及び又は情報を書き込むための電波を送受信するアンテナと、
前記アンテナを挟み無線タグと対向する側に配設され、前記アンテナが送受信する電波を反射し、前記無線タグとの距離が異なる１段以上の段差が形成されたリフレクタと、
を備えることを特徴とする無線タグ読取書込み装置。
【請求項２】
密集した無線タグから情報を読み込み及び又は情報を書き込むための電波を送受信するアンテナと、
前記アンテナを挟み無線タグと対向する側に配設され、前記アンテナが送受信する電波を反射し、前記無線タグとの距離が異なる１段以上の段差が形成されたリフレクタと、
前記アンテナ及び前記リフレクタを可動させる可動機構と、
を備えることを特徴とする無線タグ読取書込み装置。
【請求項３】
前記アンテナがダイポールアンテナであることを特徴とする請求項１または２に記載の無線タグ読取書込み装置。
【請求項４】
前記リフレクタの材質が金属であることを特徴とする請求項１から請求項３のいずれかに記載の無線タグ読取書込み装置。
【請求項５】
前記アンテナ及び前記リフレクタが前記アンテナの長軸方向に平行な方向又は垂直な方向に可動させる可動機構を備えることを特徴とする請求項２から請求項４のいずれかに記載の無線タグ読取書込み装置。
【請求項６】
前記アンテナ及び前記リフレクタが鉛直方向に可動させる可動機構を備えることを特徴とする請求項２から請求項５のいずれかに記載の無線タグ読取書込み装置。
【請求項７】
前記リフレクタの段差がベースリフレクタに一体形成されていることを特徴とする請求項１から請求項６のいずれかに記載の無線タグ読取書込み装置。
【発明の詳細な説明】
【技術分野】
【０００１】
本発明は、無線タグの読取書込み装置に係り、特に無線タグが密集していても安定して無線タグの読取及び又は書込みを行う無線タグの読取書込み装置に関する。
【背景技術】
【０００２】
従来の無線タグ読取書込み装置は、無線タグとの距離が変動したり、または無線タグが多数密集したりした場合には、アンテナの特性値であるリターンロスが、無線タグの読み書きに必要な周波数において高い値となり、無線タグの読み書きができないことがあるという問題点があった。
【０００３】
このような場合の対処として、アンテナを移動させるということが考えられる。しかし、無線タグ読取書込み装置にアンテナ可動装置などを設けなければならず、無線タグ読取書込み装置の製造コストを押し上げるという問題があった。
【０００４】
また、無線タグが貼付された物品が無線タグ読取書込み装置からの距離が変わったり、アンテナからの直接波とアンテナの反射板からの反射波の位相が１８０度ずれる位置に無線タグが位置したりすると、電波の打ち消し合いが起こり無線タグと情報の読み書きができなくなるという問題点があった。
【０００５】
特許文献１には、電波反射板と無線タグリーダライタとを対向して配置し、無線タグを反射板に配置することが記載されている。この特許文献は無線タグと反射板との距離が、無線タグと反射板間での等価電気波長をλｇとし、ｎを整数とすると、（λｇ／４±λｇ／８）又は（λｇ／４（２ｎ＋１）±λｇ／８）にて表されることを開示している。
【特許文献１】特開２００４−２５０１８５号公報
【発明の開示】
【発明が解決しようとする課題】
【０００６】
しかし、特許文献１の技術においても、無線タグの位置が変わったりすると、アンテナからの直接波と反射板からの反射波の位相が１８０度ずれる位置があり、この位置に無線タグがある場合には電波の打ち消し合いが起こり無線タグに情報の読み書きができなくなるという問題点があった。
【０００７】
本発明は上記のような問題点に鑑みてなされたものであり、無線タグが密集しても、また無線タグの位置が変化しても安定して無線タグの読取及び又は書込みを行う無線タグ読取書込み装置を提供することを目的とする。
【課題を解決するための手段】
【０００８】
この目的を達成するために、請求項１の無線タグ読取書込み装置は、密集した無線タグから情報を読み込み及び又は情報を書き込むための電波を送受信するアンテナと、アンテナを挟み無線タグと対向する側に配設され、アンテナが送受信する電波を反射し、無線タグとの距離が異なる１段以上の段差が形成されたリフレクタと、を備えることを特徴とする。
【０００９】
また、請求項２の無線タグ読取書込み装置は、密集した無線タグから情報を読み込み及び又は情報を書き込むための電波を送受信するアンテナと、アンテナを挟み無線タグと対向する側に配設され、アンテナが送受信する電波を反射し、無線タグとの距離が異なる１段以上の段差が形成されたリフレクタと、アンテナ及びリフレクタを可動させる可動機構と、を備えることを特徴とする。
【発明の効果】
【００１０】
本発明の無線タグ読取書込み装置によれば、アンテナが送受信する電波を反射させる１段以上の段差を設けたリフレクタを備えるため、無線タグの位置が無線タグ読取書込み装置のアンテナに対し接近する方向又は離れる方向に変化しても、また無線タグが密集しても安定して無線タグの読取及び又は書込みを行うことが可能となる。
【発明を実施するための最良の形態】
【００１１】
以下、本発明の実施形態について図面を用いて説明する。なお、本発明において無線タグ読取書込み装置は無線タグから情報を読み込む装置又は無線タグに情報を書き込む装置、又は情報の読み込みと書き込みを両方行う装置を含むものとする。
【００１２】
また、無線タグは無線通信可能な記憶媒体を意味し、通常アンテナとＩＣチップを有する。無線タグはさらに計算機能を持っていてもよく、望ましくは携帯可能な大きさであるが、微小なものであってもよい。無線タグはＲＦＩＤ（Ｒａｄｉｏ  Ｆｒｅｑｕｅｎｃｙ  Ｉｄｅｎｔｉｆｉｃａｔｉｏｎ）と呼ばれることもある。
【００１３】
＜実施形態１＞
図１（ａ）は本発明の第１の実施形態の無線タグ読取書込み装置を模式的に表した図である。実施形態１の無線タグ読取書込み装置は、電波を無指向的に放射するアンテナ１０３と、電波を反射するベースリフレクタ１０４と、無線タグ１０２との距離がベースリフレクタ１０４とは異なり、電波を反射する第一段差リフレクタ１０５と、を備える。なお、ベースリフレクタ１０４と第一段差リフレクタ１０５は一体に形成されていても別体であってもよい。また、使用するアンテナは特に限定されることはないが、中でもダイポールアンテナを用いることが好適である。物品１０１には無線タグ１０２が貼付されている。矢印は電波の進行方向を表す。
【００１４】
ここで、第一段差リフレクタ１０５のアンテナ方向の厚さは、送信電波の波長をλとし、ｎを整数とするとｎλ／２以外としている。この理由は、第一段差リフレクタ１０５のアンテナ方向の厚みｎλ／２であると、ベースリフレクタ１０４に反射した電波と第一段差リフレクタに反射した電波が打ち消しあい、無線タグを読み書きできない場合があるからである。またベースリフレクタ１０４と第一段差リフレクタ１０５の材質は金属であればよい。また、ベースリフレクタ１０４又は第一段差リフレクタ１０５の表面は平面状に図示してあるが、波板でもよい。
【００１５】
図１（ｂ）は無線タグ１１０と本実施形態の無線タグ読取書込み装置１２０の構成を示す概略図である。無線タグ１１０はメモリ１１１と、メモリ１１２へのデータの読み書きを行う制御部１１２と、受信した変調電波の整流と安定化を行うことにより電源を供給する電源生成部１１５と、制御部から送出されたデータを変調して無線タグアンテナ１１６に送出する変調部１１３と、受信した変調電波を復調して制御部１１２へ送出する復調部１１４とを備える。
【００１６】
無線タグ読取書込み装置１２０はアンテナ１２１と、制御部から送出されたデータを変調する変調部１２２と、変調された信号を増幅してアンテナ１２１に送出する送信アンプ１２３と、受信した変調電波を増幅する受信アンプ１２４と、受信した変調信号を復調する復調部１２５と、無線タグとの通信及び接続するハードウエアを制御するＣＰＵ１２７及びデータを格納するＲＯＭ１２８及びＲＡＭ１２９を備える制御部１２６と、例えばパソコン等の上位装置に接続し、データの授受を行うインターフェース１３０とを備える。
【００１７】
本実施形態が安定して無線タグの読取及び又は書込みを行うことができるメカニズムは以下の通りである。アンテナ１０３から放射された電波とこの電波がベースリフレクタ１０４に反射した電波の位相が１８０°ずれていた場合、これらの電波は打ち消しあうが、第一段差リフレクタ１０５に反射した電波の位相はいずれの電波とも位相が１８０°ずれないため無線タグ１０２に到達し、読み書きをすることができる。
【００１８】
これに対し、アンテナ１０３から放射された電波とこの電波が第一段差リフレクタ１０５に反射した電波の位相が１８０°ずれていた場合、これらの電波は打ち消しあうが、ベースリフレクタ１０４に反射した電波の位相はいずれの電波とも位相が１８０°ずれないため無線タグ１０２に到達し、読み書きをすることができる。
【００１９】
ところで、ベースリフレクタ１０４に反射した電波と第一段差リフレクタ１０５に反射した電波は、前述のように第一段差リフレクタ１０５のアンテナ方向の厚みがｎλ／２以外であるため、打ち消しあうことはない。
【００２０】
図２は本発明の第１の実施形態の無線タグ読取書込み装置の使用例の斜視図である。無線タグが貼付された書類を多数ファイルしたバインダー２０１を筐体２０２の上に載せ、無線タグを読み書きする。本実施形態の無線タグ読取書込み装置は、筐体２０２の内部にアンテナ１０３を上向きに格納されている。
【００２１】
図３（ａ）ないし（ｃ）はアンテナのリターンロスを周波数ごとにプロットしたグラフである。縦軸３０１はリターンロス（単位：−ｄＢ）を、横軸３０２は周波数（単位：ＭＨｚ）を示す。図３（ａ）において、符号３０３は無線タグ読み書きに必要な周波数を表す。符号３０４は無線タグ読み書きに許容できるリターンロス値を表している。交点３０５では許容限界よりも実際のリターンロス値が下回っているため、この状態においては安定して無線タグを読み書きすることができる。
【００２２】
図３（ｂ）は無線タグがアンテナ１０３から離れる方向に移動した場合又は無線タグが多数密集した場合を表す。リターンロス値をプロットしたグラフ３０６は図３（ａ）のグラフ３０１より高周波数よりにシフトしている。この状態では、無線タグの読み書きに必要な周波数３０３におけるリターンロスの値３０７が無線タグの読み書きに必要なリターンロスの許容値３０４よりも大きいため、無線タグを読み書きすることができない。
【００２３】
図３（ｃ）は上記（ｂ）の状態において第一段差リフレクタ１０５を設けた場合を表す。リターンロス値をプロットしたグラフ３０８はリターンロスの許容限界値３０４よりも小さな値を示す周波数帯域が広がっていることを示している。また、グラフ３０８は無線タグ読み書きに必要な周波数３０３において無線タグの読み書きに必要なリターンロスの許容値よりも小さくなっており、このため密集した無線タグであっても安定して読み書きすることができる。
【００２４】
以上のように、本実施形態の無線タグ読取書込み装置によれば、アンテナが送受信する電波を反射する１段の段差を設けた第一段差リフレクタを備えたことにより、アンテナが使用できる周波数帯域が広がり無線タグ読取書込み装置のアンテナに対し接近する方向又は離れる方向に変化しても安定して無線タグの読取及び又は書込みを行うことが可能となる。
【００２５】
＜実施形態２＞
図４は本発明の第２の実施形態の無線タグ読取書込み装置を模式的に表した図である。本実施形態の無線タグ読取書込み装置は、無線タグ１０２との距離がベースリフレクタ１０４とは異なり、電波を反射する第一段差リフレクタ４０１と、無線タグ１０２との距離がベースリフレクタ１０４及び第一段差リフレクタ４０１とは異なり、電波を反射する第二段差リフレクタ４０２と、を備えることを特徴とし、他の構成及びメカニズムは実施形態１と同様である。なお、ベースリフレクタ１０４と第一段差リフレクタと第二段差リフレクタとは一体に形成されていても別体であってもよい。
【００２６】
実施形態２においては無線タグ１０２までの距離が異なる２段のリフレクタをベースリフレクタ１０４に加えて設けたため、アンテナが使用できる周波数帯域がさらに広がる。また、本実施形態においては無線タグ１０２までの距離が異なるリフレクタをさらに追加してもよく、これによりアンテナが使用できる周波数帯域はさらに広がる。
【００２７】
＜実施形態３＞
図５は本発明の第３の実施形態の無線タグ読取書込み装置を模式的に表した図である。本実施形態の無線タグ読取書込み装置は、ワイアを駆動させることによりアンテナ１０３とリフレクタを横方向に移動させる可動機構５０１と、図示しないワイアを駆動させるモータと、リフレクタを支持するレールとをさらに備えることを特徴とし、他の構成及びメカニズムは実施形態１と同様である。
【００２８】
可動機構５０１は無線タグの読み書きを行うときに駆動する。可動機構５０１が駆動することにより、アンテナ１０３及びリフレクタは矢印５０２の方向に移動する。本実施形態においてはアンテナ及びリフレクタが矢印５０２の方向、すなわちアンテナの長軸方向に平行な方向に移動するように構成したが、矢印５０２と水平方向に垂直に移動するように構成しても、鉛直方向に移動するように構成してもよい。
【００２９】
以上のように、本実施形態の無線タグ読取書込み装置によれば、アンテナ及びリフレクタの可動機構をさらに設けたため、図５に示したように無線タグが貼付された多数の書類に対して１回の操作により無線タグを読み書きすることが可能となる。
【００３０】
なお、本発明はその技術思想の範囲内において種々変形して実施できる。
【図面の簡単な説明】
【００３１】
【図１】実施形態１の無線タグ読取書込み装置を模式的に表した図である。
【図２】実施形態１の無線タグ読取書込み装置の使用例の斜視図である。
【図３】実施形態１のアンテナのリターンロスを周波数ごとにプロットしたグラフである。
【図４】実施形態２の無線タグ読取書込み装置を模式的に表した図である。
【図５】実施形態３の無線タグ読取書込み装置を模式的に表した図である。
【符号の説明】
【００３２】
１０１：書類、
１０２：無線タグ、
１０３：アンテナ、
１０４：ベースリフレクタ、
１０５：第一段差リフレクタ、
４０２：第二段差リフレクタ。
【図１】
2008028723.tif 000003
【図２】
2008028723.tif 000004
【図３】
2008028723.tif 000005
【図４】
2008028723.tif 000006
【図５】
2008028723.tif 000007